(57)【要約】【課題】ネットワーク全体で映像データの画質が低下するのを防ぎつつ、ネットワークの輻輳を防ぐことができるデータ処理装置を提供すること。【解決手段】ネットワークと通信可能に接続する第１のインタフェース部７１０と、第２の映像入力側装置と通信可能に接続する第２のインタフェース部７２０と、第２の映像入力側装置が入力した第２の映像データを映像出力側装置へ転送する転送モードのとき、第１の映像入力側装置に対して、第１の映像入力側装置が送信する第１の映像データを、映像出力側装置ではなくデータ処理装置へ送信する旨の指示を行う出力機器制御部７４０と、転送モードにおいて、第１の映像データと第２の映像データとを合成した合成映像データを生成して、映像出力側装置へ送信するデータ合成部７５０とを有する。【選択図】図２
2013005155.tif 000002
【特許請求の範囲】
【請求項１】
第１の映像入力側装置および映像出力側装置が配置されるネットワークと、第２の映像入力側装置との間に配置されるデータ処理装置であって、
前記ネットワークと通信可能に接続する第１のインタフェース部と、
前記第２の映像入力側装置と通信可能に接続する第２のインタフェース部と、
前記第２の映像入力側装置が入力した第２の映像データを前記映像出力側装置へ転送する転送モードのとき、前記第１の映像入力側装置に対して、前記第１の映像入力側装置が送信する第１の映像データを、前記映像出力側装置ではなく前記データ処理装置へ送信する旨の指示を行う出力機器制御部と、
前記転送モードにおいて、前記第１の映像データと前記第２の映像データとを合成した合成映像データを生成して、前記映像出力側装置へ送信するデータ合成部と、を有する、
データ処理装置。
【請求項２】
前記出力機器制御部は、
前記転送モードが終了するとき、前記第１の映像入力側装置に対して、前記第１の映像データを前記映像出力側装置へ送信する旨の指示を行う、
請求項１記載のデータ処理装置。
【請求項３】
前記指示は、前記第１の映像入力側装置に対して、前記第１の映像データの送信先から前記映像出力装置を削除することの指示を含む、
請求項１記載のデータ処理装置
【請求項４】
前記出力機器制御部は、
前記転送モードが開始するとき、前記指示を行う、
請求項２記載のデータ処理装置。
【請求項５】
前記出力機器制御部は、
前記第２の映像データが前記映像出力装置へ送信されており、かつ、前記第１のインタフェース部が前記映像出力側装置から前記第２の映像データの転送開始の要求を受信したとき、前記指示を行う、
請求項１記載のデータ処理装置。
【請求項６】
前記出力機器制御部は、
前記第１のインタフェース部が前記映像出力側装置から前記第２の映像データの転送開始の要求を受信したとき、前記転送モードを開始し、前記第１のインタフェース部が前記映像出力側装置から前記第２の映像データの転送停止の要求を受信したとき、および、前記第２の映像データがなくなったとき、前記転送モードを終了する、
請求項４記載のデータ処理装置。
【請求項７】
前記ネットワークは、パケット通信が行われる通信ネットワークであり、
前記映像出力側装置からパケットを受信したとき、当該パケットに、前記転送開始の要求および前記転送停止の要求のいずれかが含まれているか否かを判断する解析部と、
前記データ合成部が出力する前記合成映像データおよび前記第２の映像データを、パケット化して前記映像出力側装置へ送信するパケット生成部と、を更に有する、
請求項６記載のデータ処理装置。
【請求項８】
前記出力機器制御部は、
前記ネットワークに前記第１の映像入力側装置および前記映像出力側装置が接続されているか否かを判断し、前記第１の映像入力側装置および前記映像出力側装置が接続されていることを条件として、前記第１の映像データを前記データ処理装置へ送信する旨の前記指示を行う、
請求項７記載のデータ処理装置。
【請求項９】
前記データ合成部は、
前記第１の映像データの映像と前記第２の映像データの映像とが一画面に収まった合成映像のデータを、前記合成映像データとして生成する、
請求項８記載のデータ処理装置。
【請求項１０】
前記解析部は、
前記映像出力側装置からパケットを受信したとき、当該パケットに、前記合成映像のレイアウト情報が含まれているか否かを更に判断し、
前記データ合成部に対し、前記レイアウト情報に従って前記合成映像データを生成させるレイアウト情報管理部、を更に有する、
請求項９記載のデータ処理装置。
【請求項１１】
前記第１のインタフェース部は、
ＤＬＮＡ規格に準拠した通信方式により、前記第１の映像入力側装置および前記映像出力側装置と相互通信を行う、
請求項１記載のデータ処理装置。
【請求項１２】
第１の映像入力側装置および映像出力側装置が配置されたネットワークと、第２の映像入力側装置との間に配置されるデータ処理装置におけるデータ処理方法であって、
前記第２の映像入力側装置が入力した第２の映像データを転送する転送モードを開始するか否かを判断するステップと、
前記転送モードのとき、前記第１の映像入力側装置に対して、前記第１の映像入力側装置が送信する第１の映像データを、前記映像出力側装置ではなく前記データ処理装置へ送信することを指示するステップと、
前記転送モードにおいて、前記第１の映像データと前記第２の映像データとを合成した合成映像データを生成して、前記映像出力側装置へ送信するステップと、を有する、
データ処理方法。
【発明の詳細な説明】
【技術分野】
【０００１】
本発明は、映像録画再生装置などの映像入力側装置と、ドアカメラなどの映像入力側装置およびテレビなどの映像出力側装置が配置されるネットワークとの間に配置される、データ処理装置およびそのデータ処理方法に関する。
【背景技術】
【０００２】
近年、ホームネットワークの普及が進んでいる。ホームネットワークでは、家庭内の住宅設備や家電製品などの間で、情報のやり取りや連携動作が可能となっている。このようなホームネットワークでは、例えば、テレビで、映像録画再生装置の再生映像（以下「コンテンツ映像」という）とドアカメラの撮影映像（以下「カメラ映像」という）とを、一画面で表示させることが可能である。
【０００３】
今後、ホームネットワークに接続する機器の増加や、画面サイズの更なる拡大が予測される。ところが、映像データのデータサイズが大きいため、このような機器の増加や画面サイズの拡大により、例えば、上述のシステムでは、テレビ周辺の通信路が輻輳状態となり、ネットワーク上の情報のやり取りあるいは連携動作に支障をきたすおそれがある。
【０００４】
例えば、特許文献１には、映像録画再生装置・ドアカメラなどの映像入力側装置において、輻輳の兆候を監視し、テレビなどの映像出力側装置へ送信する映像データを送信前に、より低いビットレートで再エンコードする技術が記載されている。この技術によれば、ネットワークが輻輳状態となるのを回避することができる。
【先行技術文献】
【特許文献】
【０００５】
【特許文献１】特開２００２−２０８９５４号公報
【発明の概要】
【発明が解決しようとする課題】
【０００６】
しかしながら、特許文献１に記載の技術は、映像データの画質の低下が、ネットワーク全体において発生してしまうという課題がある。
【０００７】
このようなネットワーク全体での画質の低下は、ホームネットワークの利便性や価値を低下させ得る。具体的には、特許文献１の技術を適応した場合、例えば、ホームネットワークにおいて、コンテンツ映像とカメラ映像とを一画面に表示するテレビの他に、コンテンツ映像しか表示しないディスプレイ装置が使用されていたとする。この場合、ディスプレイ装置では、コンテンツ映像の映像データしか出力しないにもかかわらず、低品質のコンテンツ映像しか取得することができない。
【０００８】
したがって、ネットワークを用いた通信システムでは、ネットワーク全体で映像データの画質が低下することがないような、輻輳防止技術が望まれる。
【０００９】
本発明の目的は、ネットワーク全体で映像データの画質が低下するのを防ぎつつ、ネットワークの輻輳を防ぐことができるデータ処理装置およびデータ処理方法を提供することである。
【課題を解決するための手段】
【００１０】
本発明のデータ処理装置は、第１の映像入力側装置および映像出力側装置が配置されるネットワークと、第２の映像入力側装置との間に配置されるデータ処理装置であって、前記ネットワークと通信可能に接続する第１のインタフェース部と、前記第２の映像入力側装置と通信可能に接続する第２のインタフェース部と、前記第２の映像入力側装置が入力した第２の映像データを前記映像出力側装置へ転送する転送モードのとき、前記第１の映像入力側装置に対して、前記第１の映像入力側装置が送信する第１の映像データを、前記映像出力側装置ではなく前記データ処理装置へ送信する旨の指示を行う出力機器制御部と、前記転送モードにおいて、前記第１の映像データと前記第２の映像データとを合成した合成映像データを生成して、前記映像出力側装置へ送信するデータ合成部と、を有する。
【００１１】
本発明のデータ処理方法は、第１の映像入力側装置および映像出力側装置が配置されたネットワークと、第２の映像入力側装置との間に配置されるデータ処理装置におけるデータ処理方法であって、前記第２の映像入力側装置が入力した第２の映像データを転送する転送モードを開始するか否かを判断するステップと、前記転送モードのとき、前記第１の映像入力側装置に対して、前記第１の映像入力側装置が送信する第１の映像データを、前記映像出力側装置ではなく前記データ処理装置へ送信することを指示するステップと、前記転送モードにおいて、前記第１の映像データと前記第２の映像データとを合成した合成映像データを生成して、前記映像出力側装置へ送信するステップとを有する。
【発明の効果】
【００１２】
本発明によれば、ネットワーク全体で映像データの画質が低下するのを防ぎつつ、ネットワークの輻輳を防ぐことができる。
【図面の簡単な説明】
【００１３】
【図１】本発明の実施の形態１に係るデータ処理装置を含む通信システムの構成を示すシステム構成図
【図２】本発明の実施の形態１に係るデータ処理装置の構成の一例を示すブロック図
【図３】本発明の実施の形態２に係るデータ処理装置の構成の一例を示すブロック図
【図４】本発明の実施の形態２に係るデータ処理装置の動作の一例を示すフローチャート
【図５】本発明の実施の形態２における通信システム全体の動作の一例を示すシーケンス図
【図６】本発明の実施の形態２の変形例１に係るデータ処理装置の動作の一例を示すフローチャート
【図７】本発明の実施の形態２の変形例１における通信システム全体の動作の一例を示すシーケンス図
【図８】本発明の実施の形態２の変形例２に係るデータ処理装置の動作の一例を示すフローチャート
【図９】本発明の実施の形態２の変形例２における通信システム全体の動作の一例を示すシーケンス図
【図１０】本発明の実施の形態３に係るデータ処理装置の構成の一例を示すブロック図
【図１１】本発明の実施の形態３に係るデータ処理装置の動作の一例を示すフローチャート
【図１２】本発明の実施の形態３に係る通信システム全体の動作の一例を示すシーケンス図
【発明を実施するための形態】
【００１４】
以下、本発明の各実施の形態について、図面を参照して詳細に説明する。
【００１５】
（実施の形態１）
本発明の実施の形態１は、本発明の基本的態様の例である。
【００１６】
図１は、本実施の形態に係るデータ処理装置を含む通信システムの構成を示すシステム構成図である。
【００１７】
図１において、通信システム１００は、第１の映像入力側装置２００、映像出力側装置３００、他の装置４００、ネットワーク５００、第２の映像入力側装置６００、およびデータ処理装置７００を有する。
【００１８】
第１の映像入力側装置２００、映像出力側装置３００、および他の装置４００は、ネットワーク５００に配置されている。データ処理装置７００は、このネットワーク５００と、第２の映像入力側装置６００との間に配置されている。
【００１９】
第１の映像入力側装置２００は、取得した第１の映像データを、例えば、初期状態において、矢印８１１、８１２に示す経路で、映像出力側装置３００および他の装置４００へ直接送信する。
【００２０】
映像出力側装置３００および他の装置４００は、ネットワーク５００を介して送られてきた映像データを取得する。
【００２１】
第２の映像入力側装置６００は、取得した第２の映像データを、例えば、矢印８１３に示す経路で、データ処理装置７００へ送信する。
【００２２】
データ処理装置７００は、転送モードのとき、第１の映像入力側装置２００に対して、第１の映像データを、映像出力側装置３００ではなく、データ処理装置７００へ送信する旨の指示を行う。転送モードは、第２の映像データを映像出力側装置３００へ転送するモードである。そして、データ処理装置７００は、転送モードにおいて、第１の映像データと第２の映像データとを合成した合成映像データを生成して、映像出力側装置３００へ送信する。
【００２３】
すなわち、データ処理装置７００は、第１の映像入力側装置２００に対して、第１の映像データを、矢印８１１に示す経路ではなく矢印８１４に示す経路で送信させる。そして、データ処理装置７００は、第１の映像データと第２の映像データとを合成した合成映像データを、矢印８１５に示す経路で映像出力側装置３００へ送信する。
【００２４】
図２は、データ処理装置７００の構成の一例を示すブロック図である。
【００２５】
図２において、データ処理装置７００は、第１のインタフェース（ＩＦ）部７１０、第２のインタフェース（ＩＦ）部７２０、出力機器制御部７４０、およびデータ合成部７５０を有する。
【００２６】
第１のインタフェース部７１０は、ネットワーク５００と通信可能に接続する通信インタフェースである。
【００２７】
第２のインタフェース部７２０は、第２の映像入力側装置６００と通信可能に接続する通信インタフェースである。
【００２８】
出力機器制御部７４０は、転送モードのとき、第１の映像入力側装置２００に対して、第１の映像データを、映像出力側装置３００ではなくデータ処理装置７００へ送信する旨の指示を行う。なお、この指示は、第１の映像入力側装置２００から他の装置４００への第１の映像データの送信を阻害しない。
【００２９】
データ合成部７５０は、転送モードにおいて、第１の映像データと第２の映像データとを合成した合成映像データを生成して、映像出力側装置３００へ送信する。
【００３０】
データ処理装置７００は、例えば、ＣＰＵ（Central Processing Unit）、ＲＡＭ（Random Access Memory）等の記憶媒体、および通信回路などを有する。この場合、上述の各機能部は、ＣＰＵが制御プログラムを実行することにより実現される。
【００３１】
このようなデータ処理装置７００は、他の装置４００への第１の映像データの送信を維持しつつ、映像出力側装置３００への第１の映像データの送信を停止させることができる。そして、データ処理装置７００は、第１の映像データおよび第２の映像データに置き換えて、これらを合成した合成映像データを、映像出力側装置３００へ送信することができる。
【００３２】
これにより、データ処理装置７００は、第２の映像データの転送を必要としない他の装置４００に対して、第１の映像データを、そのまま送信させることができる。そして、データ処理装置７００は、第２の映像データの転送を必要とする映像出力側装置３００に対して、ビットレートを低下させるなどした第１の映像データと第２の映像データとの合成映像データを、送信することができる。
【００３３】
そして、これにより、データ処理装置７００は、第１の映像データと第２の映像データとがそのまま個別に映像出力側装置３００に送信される場合に比べて、映像出力側装置３００周辺の通信路の通信負荷を軽減することができる。
【００３４】
すなわち、データ処理装置７００は、ネットワーク５００全体で映像データの画質が低下するのを防ぎつつ、ネットワーク５００の輻輳を防ぐことができる。
【００３５】
（実施の形態２）
本発明の実施の形態２は、本発明を、ドアホンとテレビが配置されたホームネットワークに適用した例である。
【００３６】
まず、本実施の形態に係るデータ処理装置の構成について説明する。
【００３７】
図３は、本実施の形態に係るデータ処理装置の構成の一例を示すブロック図である。なお、本実施の形態では、説明の便宜のため、ホームネットワーク上の他の装置についても図示している。
【００３８】
図３において、データ処理装置７００は、第１のインタフェース部７１０、第２のインタフェース部７２０、解析部７３０、出力機器制御部７４０、データ合成部７５０およびパケット生成部７６０を有する。
【００３９】
第１のインタフェース部７１０は、ホームネットワーク５１０と通信可能に接続する通信インタフェースである。
【００４０】
より具体的には、第１のインタフェース部７１０は、例えば無線ＬＡＮ（Local Area Network）により、アクセスポイント５２０を介して、ホームネットワーク５１０に接続する。
【００４１】
なお、ホームネットワーク５１０には、カメラ付きのドアホン２１０と、テレビ３１０とが接続されている。
【００４２】
ホームネットワーク５１０は、実施の形態１の図１に示すネットワーク５００に相当する。本実施の形態において、ホームネットワーク５１０は、パケット通信が行われる通信ネットワークである。
【００４３】
ドアホン２１０は、実施の形態１の図１に示す第１の映像入力側装置２００に相当する。本実施の形態において、ドアホン２１０は、データ処理装置７００から後述の制御信号を受信したとき、当該制御信号の内容に従う。また、ドアホン２１０は、例えばドアホン押下を受けて、ドア外部の撮影を開始する。そして、ドアホン２１０は、撮影映像のデータの送信の対象として登録されている機器に対して、映像受信依頼要求を送信する。映像受信依頼要求は、第１の映像データの受信を開始することの要求である。
【００４４】
ただし、ドアホン２１０は、上述の制御信号の１つとして、データ処理装置７００から送信先削除要求を受信したとき、テレビ３１０を送信の対象から外す。送信先削除要求は、上述の制御信号の１つであり、ドアホン２１０に対し、第１の映像データの送信先の登録から、テレビ３１０を削除することの要求である。テレビ３１０が送信の対象から外されている間、ドアホン２１０は、テレビ３１０への映像受信依頼要求の送信は開始しない。そして、ドアホン２１０は、第１の映像データの送信を開始するとき、データ処理装置７００に対して、映像受信依頼要求を送信する。
【００４５】
そして、ドアホン２１０は、映像送信要求をデータ処理装置７００から受けた場合、第１の映像データのデータ処理装置７００への送信を開始する。映像送信要求は、第１の映像データのデータ処理装置７００への送信を開始し、第１の映像データのテレビ３１０への送信を開始することの要求であり、映像受信依頼要求の受理を示すものである。すなわち、上述の送信先削除要求と映像送信要求との組は、第１の映像データのデータ処理装置７００への送信を開始し、第１の映像データのテレビ３１０への送信を開始しないことの要求である。
【００４６】
テレビ３１０は、実施の形態１の図１に示す映像出力側装置３００に相当する。本実施の形態において、テレビ３１０は、例えば、ユーザ操作を受けて、コンテンツ送信要求を格納したパケット、および、コンテンツ送信停止要求を格納したパケットを、データ処理装置７００へ送信する。コンテンツ送信要求は、不揮発性記憶媒体であるハードディスク６１０が出力する第２の映像データの転送を開始することの要求である。一方、コンテンツ送信停止要求は、第２の映像データの転送を停止することの要求である。
【００４７】
ハードディスク６１０は、実施の形態１の図１に示す第２の映像入力側装置６００に相当する。本実施の形態において、ハードディスク６１０は、データ処理装置７００の制御を受けて、格納する映像コンテンツのデータを、第２の映像データとして、データ処理装置７００へ送信する。
【００４８】
また、データ処理装置７００、ドアホン２１０、およびテレビ３１０は、例えば、ＤＬＮＡ（Digital Living Network Alliance）規格に準拠した通信方式により、相互通信を行うものとする。すなわち、これらの各装置は、互いに、ホームネットワーク５１０を介して接続し、通信を行うことができる。なお、データ処理装置７００、ドアホン２１０、およびテレビ３１０間で送受される各種要求は、ＤＬＮＡ規格のイベントメッセージとする。また、ホームネットワーク５１０には、同様にＤＬＮＡ規格に準拠した他の装置が接続されているが、その図示および説明を省略する。
【００４９】
第２のインタフェース部７２０は、ハードディスク６１０と通信可能に接続する通信インタフェースである。
【００５０】
より具体的には、第２のインタフェース部７２０は、例えば、ＵＳＢ（Universal Serial Bus）あるいはＳＡＴＡ（Serial Advanced Technology Attachment）などの規格に準拠した通信インタフェースにより、ハードディスク６１０と通信可能に接続する。そして、第２のインタフェース部７２０は、ハードディスク６１０内に格納されている映像コンテンツの受信、および、データ処理装置７００が保持する映像コンテンツのハードディスク６１０への送信を行う。
【００５１】
解析部７３０は、テレビ３１０からパケットを受信するごとに、当該パケットに、第２の映像データの送信開始の要求および第２の映像データの送信停止の要求のいずれかが含まれているか否かを判断する。
【００５２】
より具体的には、解析部７３０は、テレビ３１０からの受信パケットを解析し、コンテンツ送信要求およびコンテンツ送信停止要求のいずれかが含まれているか否かを判断する。そして、解析部７３０は、コンテンツ送信要求が受信パケットに含まれていた場合、出力機器制御部７４０およびデータ合成部７５０に対して、転送モードの開始を指示する。また、解析部７３０は、コンテンツ送信停止要求がパケットに含まれていた場合、出力機器制御部７４０およびデータ合成部７５０に対して、転送モードの終了を指示する。
【００５３】
また、解析部７３０は、ドアホン２１０からパケットを受信するごとに、当該パケットに、映像受信依頼要求および最終パケット通知のいずれかが含まれているか否かを解析する。最終パケット通知は、連続した第１の映像データを格納した一連のパケットのうちの、最終パケットであることを示す情報である。そして、解析部７３０は、映像受信依頼要求が受信パケットに含まれていた場合、データ合成部７５０に対して、合成開始（合成映像データの生成の開始）を指示し、出力機器制御部７４０に対して、映像送信要求の返信を指示する。また、解析部７３０は、最終パケット通知が受信パケットに含まれていた場合、データ合成部７５０に対して、合成終了（合成映像データの生成の終了）を指示する。
【００５４】
出力機器制御部７４０は、転送モードの開始を指示されたとき、ドアホン２１０に対して、第１の映像データを、テレビ３１０ではなくデータ処理装置７００へ送信する旨の指示を行う。また、出力機器制御部７４０は、映像送信要求の返信を指示されたとき、ドアホン２１０に対して、映像送信要求の受理を示す映像送信要求を送信する。更に、出力機器制御部７４０は、転送モードの終了を指示されたとき、ドアホン２１０に対して、第１の映像データを、テレビ３１０へ送信する旨の指示を行う。
【００５５】
より具体的には、出力機器制御部７４０は、転送モードの開始を指示されたとき、パケット生成部７６０へ、送信先削除要求を出力する。
【００５６】
また、出力機器制御部７４０は、映像送信要求の返信を指示されたとき、パケット生成部７６０へ、映像送信要求を出力する。
【００５７】
また、出力機器制御部７４０は、転送モードの終了を指示されたとき、パケット生成部７６０へ、送信先登録要求を出力する。送信先登録要求は、上述の制御信号の１つであり、ドアホン２１０に対し、第１の映像データの送信先に、テレビ３１０を登録することの要求である。
【００５８】
なお、出力機器制御部７４０は、更に、データ合成部７５０から第２の映像データがなくなった旨の通知を受けたとき、ドアホン２１０に対して、第１の映像データを、テレビ３１０へ送信する旨の指示を行ってもよい。
【００５９】
また、出力機器制御部７４０は、ドアホン２１０およびテレビ３１０が接続されているか否かを判断し、両方が接続されていることを条件として、送信先削除要求を送信することが望ましい。接続の有無の判断は、例えば、各装置がＤＬＮＡ規格のメッセージとして送信する、Ｓｅａｒｃｈメッセージ（接続機器探索）またはＮｏｔｉｆｙメッセージの受信に基づいて行うことができる。
【００６０】
データ合成部７５０は、転送モードにおいて、第１の映像データと第２の映像データとを合成した合成映像データを生成して、テレビ３１０へ送信する。
【００６１】
より具体的には、データ合成部７５０は、転送モードの開始が指示されたとき、第２のインタフェース部７２０を介して、ハードディスク６１０に格納された第２の映像データの受信を開始する。そして、データ合成部７５０は、転送モードの開始を指示されてから、転送モードの終了を指示されるまで、および、受信される第２の映像データがなくなるまでの間（以下「転送モード区間」という）、第２の映像データの受信を行う。
【００６２】
そして、データ合成部７５０は、転送モード区間において、第１のインタフェース部７１０が第１の映像データを受信していないとき、受信した第２の映像データを、パケット生成部７６０へ出力する。すなわち、データ合成部７５０は、合成開始の指示を受けるまで、および、合成終了の指示を受けた後、テレビ３１０への送信の対象として、第２の映像データを出力する。
【００６３】
また、データ合成部７５０は、転送モード区間において、第１のインタフェース部７１０が第１の映像データを受信しているとき、合成映像データを生成する。そして、データ合成部７５０は、生成した合成映像データを、パケット生成部７６０へ出力する。すなわち、データ合成部７５０は、合成開始の指示を受けてから、合成終了の指示を受けるまで、テレビ３１０への送信の対象として、合成映像データを出力する。合成映像データは、第１のインタフェース部７１０を介して受信した第１の映像データの映像と、第２のインタフェース部７２０を介して受信した第２の映像データの映像とが、一画面に収まった合成映像のデータである。
【００６４】
なお、データ合成部７５０は、第１の映像データおよび第２の映像データの少なくとも一方に対して、画面サイズの大きさ変更や一部切り出しなどを行うものとする。そして、これにより、データ合成部７５０は、第１の映像データおよび第２の映像データの合計のデータ量よりも低いデータ量の合成映像データを、生成するものとする。
【００６５】
パケット生成部７６０は、送信先削除要求、映像送信要求、および送信先登録要求を入力されたとき、これらを格納したパケットを生成し、ドアホン２１０へ送信する。また、パケット生成部７６０は、データ合成部７５０が出力する合成映像データおよび第２の映像データを、パケット化して、テレビ３１０へ送信する。
【００６６】
すなわち、パケット生成部７６０は、転送モードが開始するとき、送信先削除要求を格納したパケットを、第１のインタフェース部７１０を介して、ドアホン２１０へ送信する。また、パケット生成部７６０は、映像受信依頼要求が受信されたとき、映像送信要求を格納したパケットを、第１のインタフェース部７１０を介して、ドアホン２１０へ送信する。そして、パケット生成部７６０は、転送モードが終了するとき、送信先登録要求を格納したパケットを、第１のインタフェース部７１０を介して、ドアホン２１０へ送信する。
【００６７】
また、パケット生成部７６０は、転送モード区間において、第１の映像データが送られてきていないとき、第２の映像データを一連のパケットに順次パケット化し、第１のインタフェース部７１０を介して、テレビ３１０へ送信する。一方、パケット生成部７６０は、転送モード区間において、第１の映像データが送られてきているとき、合成映像データを一連のパケットに順次パケット化し、第１のインタフェース部７１０を介して、テレビ３１０へ送信する。
【００６８】
データ処理装置７００は、例えば、ＣＰＵ、ＲＡＭ等の記憶媒体、および通信回路などを有する。この場合、上述の各機能部は、ＣＰＵが制御プログラムを実行することにより実現される。
【００６９】
このようなデータ処理装置７００は、第１の映像データと第２の映像データとがそのままテレビ３１０に送信される場合に比べて、テレビ３１０周辺の通信路の通信負荷を軽減することができる。
【００７０】
以上で、データ処理装置７００の構成についての説明を終える。
【００７１】
次に、データ処理装置７００の動作について説明する。
【００７２】
図４は、データ処理装置７００の動作の一例を示すフローチャートである。
【００７３】
まず、ステップＳ１０１０において、第１のインタフェース部７１０は、パケットを受信したか否かを判断する。第１のインタフェース部７１０は、パケットを受信していない場合（Ｓ１０１０：ＮＯ）、ステップＳ１０２０へ進む。また、第１のインタフェース部７１０は、パケットを受信した場合（Ｓ１０１０：ＹＥＳ）、ステップＳ１０３０へ進む。
【００７４】
なお、本実施の形態において、説明の便宜のため、第１のインタフェース部７１０は、テレビ３１０およびドアホン２１０のみから、パケットを受信するものとする。
【００７５】
ステップＳ１０３０において、解析部７３０は、受信パケットの内容が、Ｍ−Ｓｅａｒｃｈ（接続機器探索）であるか否かを判断する。Ｍ−Ｓｅａｒｃｈは、ＤＬＮＡ規格に準拠した装置が、通信ネットワークに接続する他の装置を探索するための信号である。解析部７３０は、受信パケットの内容がＭ−Ｓｅａｒｃｈではない場合（Ｓ１０３０：ＮＯ）、ステップＳ１０４０へ進む。また、解析部７３０は、受信パケットの内容がＭ−Ｓｅａｒｃｈである場合（Ｓ１０３０：ＹＥＳ）、ステップＳ１０５０へ進む。
【００７６】
ステップＳ１０５０において、解析部７３０は、Ｍ−Ｓｅａｒｃｈの送信元の情報を、機器接続情報として、出力機器制御部７４０へ出力して保持させるとともに、応答パケットをＭ−Ｓｅａｒｃｈの送信元へ送信する。なお、送信元は、例えば、パケットのヘッダ情報から取得することができる。
【００７７】
ステップＳ１０４０において、解析部７３０は、受信パケットの内容が、コンテンツ送信要求であるか否かを判断する。解析部７３０は、受信パケットの内容がコンテンツ送信要求ではない場合（Ｓ１０４０：ＮＯ）、ステップＳ１０６０へ進む。また、解析部７３０は、受信パケットの内容がコンテンツ送信要求である場合（Ｓ１０４０：ＹＥＳ）、ステップＳ１０７０へ進む。
【００７８】
ステップＳ１０７０において、出力機器制御部７４０は、パケット生成部７６０および第１のインタフェース部７１０を介して、送信先削除要求をドアホン２１０へ送信する。また、データ合成部７５０は、第２のインタフェース部７２０を介して第２の映像データを入力し、テレビ３１０への転送を開始する。
【００７９】
ステップＳ１０６０において、解析部７３０は、受信パケットの内容が、映像受信依頼要求であるか否かを判断する。解析部７３０は、受信パケットの内容が映像受信依頼要求ではない場合（Ｓ１０６０：ＮＯ）、ステップＳ１０８０へ進む。また、解析部７３０は、受信パケットの内容が映像受信依頼要求である場合（Ｓ１０６０：ＹＥＳ）、ステップＳ１０９０へ進む。
【００８０】
ステップＳ１０９０において、出力機器制御部７４０は、映像送信要求をドアホン２１０へ送信する。また、データ合成部７５０は、第１の映像データの受信を開始し、第１の映像データと第２の映像データとの合成、および、合成映像データのテレビ３１０への送信を開始する。
【００８１】
ステップＳ１０８０において、解析部７３０は、受信パケットの内容が、最終パケット通知であるか否かを判断する。解析部７３０は、受信パケットの内容が最終パケット通知ではない場合（Ｓ１０８０：ＮＯ）、ステップＳ１０２０へ進む。また、解析部７３０は、受信パケットの内容が最終パケット通知である場合（Ｓ１０８０：ＹＥＳ）、ステップＳ１１００へ進む。
【００８２】
ステップＳ１１００において、データ合成部７５０は、第１の映像データと第２の映像データとの合成を終了し、転送モードが終了していない場合、第２の映像データの送信に切り替える。また、出力機器制御部７４０は、転送モードが終了している場合、送信先登録要求をドアホン２１０へ送信する。
【００８３】
そして、ステップＳ１０２０において、第１のインタフェース部７１０は、ユーザ操作などにより処理の終了を指示されたか否かを判断する。第１のインタフェース部７１０は、処理の終了を指示されていない場合（Ｓ１０２０：ＮＯ）、ステップＳ１０１０へ戻る。また、第１のインタフェース部７１０は、処理の終了を指示された場合（Ｓ１０２０：ＹＥＳ）、一連の動作を終了する。
【００８４】
このような動作により、データ処理装置７００は、他の装置からの要求に応じて、第２の映像の転送、第１の映像データの送信先の制御、および合成映像データの生成および送信を行うことができる。
【００８５】
なお、解析部７３０は、パケットの送信元がドアホン２１０かテレビ３１０かによって、判断処理を切り替えるようにしてもよい。すなわち、解析部７３０は、送信元がドアホン２１０である場合には、ステップＳ１０４０の判断処理を行わず、送信元がテレビ３１０である場合には、ステップＳ１０６０、Ｓ１０８０の判断処理を行わないようにしてもよい。
【００８６】
以上で、データ処理装置７００の動作についての説明を終える。
【００８７】
次に、通信システム全体の動作について説明する。
【００８８】
図５は、本実施の形態に係る通信システム全体の動作の一例を示すシーケンス図である。なお、ドアホン２１０、テレビ３１０、およびデータ処理装置７００以外の装置については、図示および説明を省略する。
【００８９】
データ処理装置７００は、ドアホン２１０からＭ−Ｓｅａｒｃｈを受信すると（Ｓ２０１０）、これに対する応答を返信する（Ｓ２０２０）。同様に、データ処理装置７００は、テレビ３１０からＭ−Ｓｅａｒｃｈを受信すると（Ｓ２０３０）、これに対する応答を返信する（Ｓ２０４０）。
【００９０】
テレビ３１０は、例えば映像再生ボタンが押下されると（Ｓ２０５０）、コンテンツ送信要求を、データ処理装置７００へ送信する（Ｓ２０６０）。すると、データ処理装置７００は、送信先削除要求をドアホン２１０へ送信し（Ｓ２０７０）、第２の映像データのテレビ３１０への転送を開始する（Ｓ２０８０）。
【００９１】
ドアホン２１０は、例えば、ドアホンボタンが押下されると（Ｓ２０９０）、映像受信依頼要求をデータ処理装置７００へ送信する（Ｓ２１００）。すると、データ処理装置７００は、映像送信要求２１１０をドアホン２１０へ送信する（Ｓ２１１０）。そして、データ処理装置７００は、第１の映像データがドアホン２１０から送られてくると（Ｓ２１２０）、第１の映像データと第２の映像データとの合成映像データをテレビ３１０へ送信を開始する（Ｓ２１３０）。
【００９２】
そして、データ処理装置７００は、ドアホン２１０から最終パケット通知を受信すると（Ｓ２１４０）、第２の映像データの送信に切り替える（Ｓ２１５０）。また、データ処理装置７００は、最終パケット通知を受信後に、新たな映像受信依頼要求を受信しないまま転送モードが終了（例えば第２の映像データが終了）すると、送信先登録要求をドアホン２１０へ送信する（Ｓ２１６０）。
【００９３】
以上のように、本実施の形態に係るデータ処理装置７００は、転送モードが開始するとき、ドアホン２１０に対して、第１の映像データを、テレビ３１０ではなく、データ処理装置７００へ送信するように指示することができる。そして、データ処理装置７００は、第１の映像データと第２の映像データとを合成した合成映像データを、テレビ３１０へ送信することができる。これにより、データ処理装置７００は、他の装置への第１の映像データの送信を維持しつつ、第１の映像データに代えて、合成映像データをテレビ３１０へ送信することができる。すなわち、データ処理装置７００は、ホームネットワーク５１０全体で映像データの画質が低下するのを防ぎつつ、ホームネットワーク５１０の輻輳を防ぐことができる。
【００９４】
また、ドアホン２１０がデフォルトでホームネットワーク５１０の全ての装置（データ処理装置７００を含む）に対して個別に映像データを送信する場合は、ドアホン２１０からテレビ３１０へと送信される映像データが１つ減ることになる。したがって、このような場合、データ処理装置７００は、ドアホン２１０側の送信電力およびテレビ３１０側の受信電力を、それぞれ削減することができる。
【００９５】
以下、第１の映像入力側装置２００に相当する装置をセットトップボックスとしたときの、データ処理装置７００の動作の他の例について説明する。
【００９６】
（変形例１）
本発明の変形例１は、第１の映像入力側装置２００がセットトップボックス２２０（図７参照）であり、テレビ３１０が合成映像データの生成開始をトリガする例である。
【００９７】
図６は、本変形例に係るデータ処理装置７００の動作の一例を示すフローチャートであり、図４に対応するものである。図４と同一部分には、同一ステップ番号を付し、これについての説明を省略する。
【００９８】
本変形例において、解析部７３０は、受信パケットの内容がコンテンツ送信要求ではない場合（Ｓ１０４０：ＮＯ）、ステップＳ１０６０ａへ進む。また、解析部７３０は、受信パケットの内容がコンテンツ送信要求である場合（Ｓ１０４０：ＹＥＳ）、ステップＳ１０７０ａへ進む。
【００９９】
ステップＳ１０７０ａおいて、データ合成部７５０は、第２のインタフェース部７２０を介して第２の映像データを入力し、テレビ３１０への転送を開始する。
【０１００】
ステップＳ１０６０ａにおいて、解析部７３０は、受信パケットの内容が視聴・録画開始要求であるか否かを判断する。視聴・録画開始要求は、テレビ３１０が、ハードディスク６１０が出力する第２の映像データの受信と併せて、セットトップボックス２２０が出力する第１の映像データの録画および受信を行うことの要求である。第１の映像データの録画は、例えば、第２のインタフェース部７２０を介して第１の映像データをハードディスク６１０に記録することにより、行われる。解析部７３０は、受信パケットの内容が視聴・録画開始要求ではない場合（Ｓ１０６０ａ：ＮＯ）、ステップＳ１０８０ａへ進む。また、解析部７３０は、受信パケットの内容が視聴・録画開始要求である場合（Ｓ１０６０ａ：ＹＥＳ）、ステップＳ１０９０ａへ進む。
【０１０１】
ステップＳ１０９０ａにおいて、出力機器制御部７４０は、映像送信要求をセットトップボックス２２０へ送信する。なお、本変形例において、映像送信要求は、第１の映像データのデータ処理装置７００への送信を開始し、かつ、第１の映像データのテレビ３１０への送信を開始しないことの要求である。また、データ合成部７５０は、第１の映像データの受信および録画、第１の映像データと第２の映像データとの合成、および、合成映像データのテレビ３１０への送信を、開始する。
【０１０２】
ステップＳ１０８０ａにおいて、解析部７３０は、受信パケットの内容が、視聴・録画停止要求であるか否かを判断する。視聴・録画停止要求は、テレビ３１０が、セットトップボックス２２０が出力する第１の映像データの録画および受信を停止することの要求である。解析部７３０は、受信パケットの内容が視聴・録画停止要求ではない場合（Ｓ１０８０ａ：ＮＯ）、ステップＳ１０２０へ進む。また、解析部７３０は、受信パケットの内容が視聴・録画停止要求である場合（Ｓ１０８０ａ：ＹＥＳ）、ステップＳ１１００ａへ進む。
【０１０３】
ステップＳ１１００ａにおいて、データ合成部７５０は、第１の映像データと第２の映像データとの合成を終了し、転送モードが終了していない場合、第２の映像データの送信に切り替える。また、出力機器制御部７４０は、映像送信停止要求をセットトップボックス２２０へ送信する。映像送信停止要求は、第１の映像データのデータ処理装置７００への送信を停止し、以降の第１の映像データはテレビ３１０へ送信することの要求である。
【０１０４】
図７は、本変形例に係る通信システム全体の動作の一例を示すシーケンス図である。なお、セットトップボックス２２０、テレビ３１０、およびデータ処理装置７００以外の装置については、図示および説明を省略する。
【０１０５】
データ処理装置７００は、テレビ３１０からコンテンツ送信要求を受信すると（Ｓ３０１０）、第２の映像データのテレビ３１０への転送を開始する（Ｓ３０２０）。そして、データ処理装置７００は、テレビ３１０から視聴・録画開始要求を受信すると（Ｓ３０３０）、映像送信要求をセットトップボックス２２０へ送信する（Ｓ３０４０）。
【０１０６】
データ処理装置７００は、第１の映像データがセットトップボックス２２０から送られてくると（Ｓ３０５０）、第１の映像データの録画と、合成映像データのテレビ３１０への送信とを開始する（Ｓ３０６０）。
【０１０７】
そして、データ処理装置７００は、テレビ３１０から視聴・録画停止要求を受信するとＳ３０７０）、映像送信停止要求をセットトップボックス２２０へ送信し（Ｓ３０８０）、第２の映像データの送信に切り替える（Ｓ３０９０）。
【０１０８】
このような変形例に係るデータ処理装置７００は、転送モード中にテレビ３１０から第１の映像データの要求があったとき、第１の映像データを受信し、合成データをテレビ３１０へ送信することができる。すなわち、データ処理装置７００は、テレビ３１０からのトリガを受けて、第１の映像データの直接送信の停止および合成映像データの送信を開始することができる。
【０１０９】
なお、視聴・録画停止要求は、第１の映像データのテレビ３１０での視聴の要求と、第１の映像データのデータ処理装置７００での録画の要求とにより構成されていてもよく、また、それらが別々に発行されてもよい。
【０１１０】
データ処理装置７００は、視聴の要求と録画の要求とを別にした場合、例えば、要求の対象が同一のチャンネルであるか否かの判断処理を併せて行うことが望ましい。これにより、データ処理装置７００は、要求の対象が同一のチャンネルである場合にのみ、セットトップボックス２２０からテレビ３１０への第１の映像データの転送を停止させることができる。すなわち、データ処理装置７００は、視聴と録画とを独立して操作することが可能となる。また、この場合、出力機器制御部７４０は、映像送信要求を発行するのは、録画の要求を受信したケースであり、合成を開始するのは、視聴の要求を受信した後に、同一の対象について、録画の要求を受信したケース、もしくは、その逆のケースである。したがって、データ処理装置７００は、具体的には、図６のステップＳ１０６０ａ、Ｓ１０９０ａの処理を、それぞれのケースごとに行うことになる。
【０１１１】
（変形例２）
本発明の変形例２は、データ処理装置７００が第１の映像データの取得開始をトリガする例である。
【０１１２】
なお、本変形例において、データ処理装置７００は、第１の映像データを含む各種映像データのハードディスク６１０への録画の予約を受け付けるものとする。予約録画の開始および終了のタイミングは、例えば、セットトップボックス２２０から予め取得した番組表に対してユーザが設定した予約情報と、時刻情報とから、判断することができる。また、予約録画の対象が第１の映像データであるか否かは、設定された予約情報から判断することができる。また、受信した映像送信要求の対象が第１の映像データであるか否かは、設定された予約情報と、受信した映像送信要求のパケット内のコンテンツ識別情報とを比較することにより、判断することができる。
【０１１３】
図８は、本変形例に係るデータ処理装置７００の動作の一例を示すフローチャートであり、図６に対応するものである。図６と同一部分には同一ステップ番号を付し、これについての説明を省略する。
【０１１４】
本変形例において、第１のインタフェース部７１０は、パケットを受信していない場合（Ｓ１０１０：ＮＯ）、ステップＳ１１１０ｂへ進む。
【０１１５】
ステップＳ１１１０ｂにおいて、解析部７３０は、第１の映像データの予約録画を開始するタイミングが到来したか否かを判断する。解析部７３０は、予約録画を開始するタイミングが到来していない場合（Ｓ１１１０ｂ：ＮＯ）、ステップＳ１１２０ｂへ進む。また、解析部７３０は、予約録画を開始するタイミングが到来した場合（Ｓ１１１０ｂ：ＹＥＳ）、ステップ１１３０ｂへ進む。
【０１１６】
ステップＳ１１３０ｂにおいて、出力機器制御部７４０は、第１の映像データを受信していない場合、映像送信要求をセットトップボックス２２０へ送信し、第１の映像データの受信および録画を開始する。
【０１１７】
ステップＳ１１２０ｂにおいて、解析部７３０は、第１の映像データの予約録画を終了するタイミングが到来したか否かを判断する。解析部７３０は、予約録画を終了するタイミングが到来していない場合（Ｓ１１２０ｂ：ＮＯ）、ステップＳ１０２０へ進む。また、解析部７３０は、予約録画を終了するタイミングが到来した場合（Ｓ１１２０ｂ：ＹＥＳ）、ステップＳ１１００ａへ進む。この結果、データ合成部７５０は、合成を行っている場合、合成を終了し、映像送信停止要求をセットトップボックス２２０へ送信する。
【０１１８】
また、本変形例において、解析部７３０は、受信パケットの内容がコンテンツ送信要求ではない場合（Ｓ１０４０：ＮＯ）、ステップＳ１０６０ｂへ進む。
【０１１９】
ステップＳ１０６０ｂにおいて、解析部７３０は、受信パケットの内容が視聴開始要求であるか否かを判断する。視聴開始要求は、テレビ３１０が、ハードディスク６１０が出力する第２の映像データの受信と併せて、セットトップボックス２２０が出力する第１の映像データの受信を行うことの要求である。解析部７３０は、受信パケットの内容が視聴開始要求ではない場合（Ｓ１０６０ｂ：ＮＯ）、ステップＳ１０２０へ進む。また、解析部７３０は、受信パケットの内容が視聴開始要求である場合（Ｓ１０６０ｂ：ＹＥＳ）、ステップＳ１０９０ｂへ進む。
【０１２０】
ステップＳ１０９０ｂにおいて、出力機器制御部７４０は、第１の映像データを受信していない場合、映像送信要求をセットトップボックス２２０へ送信し、第１の映像データの受信およびテレビ３１０への転送を開始する。なお、データ合成部７５０は、第２の映像データの転送を行っている場合、第１の映像データと第２の映像データとの合成、および、合成映像データのテレビ３１０への送信を、開始する。
【０１２１】
図９は、本変形例に係る通信システム全体の動作の一例を示すシーケンス図である。なお、セットトップボックス２２０、テレビ３１０、およびデータ処理装置７００以外の装置については、図示および説明を省略する。
【０１２２】
データ処理装置７００は、予約録画開始タイミングが到来すると（Ｓ４０１０）、映像送信要求をセットトップボックス２２０へ送信し（Ｓ４０２０）、第１の映像データの受信を開始する（Ｓ４０３０）。ただし、転送モード中ではないため、ここでの映像送信要求は、送信先からテレビ３１０を除外しないものであってもよい。
【０１２３】
また、データ処理装置７００は、テレビ３１０からコンテンツ送信要求を受信すると（Ｓ４０４０）、第２の映像データの転送を開始する（Ｓ４０５０）。これは、データ処理装置７００が、第１の映像データのハードディスク６１０への書込みと、第２の映像データのハードディスク６１０からの読み出しとを、同時に行っている状態である。
【０１２４】
この状態で、データ処理装置７００は、視聴開始要求を受信すると（Ｓ４０６０）、映像送信要求をセットトップボックス２２０へ送信する（Ｓ４０７０）。転送モード中であるため、ここでの映像送信要求は、送信先からテレビ３１０を除外したものである。すなわち、セットトップボックス２２０は、送信先からテレビ３１０を除外した状態で、第１の映像データをデータ処理装置７００へ送信する（Ｓ４０８０）。この結果、データ処理装置７００は、合成映像データのテレビ３１０への送信を開始する（Ｓ４０９０）。
【０１２５】
そして、予約録画終了タイミングが到来すると（Ｓ４１００）、データ処理装置７００は、映像送信停止要求をセットトップボックス２２０へ送信する（Ｓ４１１０）。この結果、第１の映像データの受信は停止し、データ処理装置７００は、第２の映像データの転送を開始する（Ｓ４１２０）。
【０１２６】
このような変形例に係るデータ処理装置７００は、予約録画開始タイミングで、第１の映像データの受信を開始することができる。そして、データ処理装置７００は、転送モード中に予約録画を開始し、かつ、テレビ３１０から第１の映像データの要求があったとき、合成データをテレビ３１０へ送信することができる。すなわち、データ処理装置７００は、第１の映像データの取得開始をトリガし、かつ、テレビ３１０からのトリガを受けて、第１の映像データの直接送信の停止および合成映像データの送信を開始することができる。
【０１２７】
（実施の形態３）
本発明の実施の形態３は、合成映像データの画面における第１の映像データおよび第２の映像データのレイアウト（以下「合成映像レイアウト」という）を、変更可能にした例である。
【０１２８】
図１０は、本実施の形態に係るデータ処理装置の構成の一例を示すブロック図であり、実施の形態２の図３に対応するものである。図３と同一部分には同一符号を付し、これについての説明を省略する。
【０１２９】
図１０において、データ処理装置７００ｃは、図３の構成に加えて、レイアウト情報管理部７７０ｃを有する。
【０１３０】
レイアウト情報管理部７７０ｃは、データ合成部７５０に対し、レイアウト情報に従って合成映像データを生成させる。
【０１３１】
より具体的には、レイアウト情報管理部７７０ｃは、合成映像レイアウトを示すレイアウト情報を保持し、保持するレイアウト情報が示す合成映像レイアウトの合成映像データが生成されるように、データ合成部７５０を制御する。
【０１３２】
なお、本実施の形態において、テレビ３１０は、複数の異なる合成映像レイアウトの中から、レイアウト変更ボタンの押下などにより、ユーザから合成映像レイアウトの選択を受け付けるものとする。そして、テレビ３１０は、選択された合成映像レイアウトを示すレイアウト情報を、データ処理装置７００へ送信するものとする。
【０１３３】
また、本実施の形態において、解析部７３０は、テレビ３１０からパケットを受信したとき、当該パケットにレイアウト情報が含まれているか否かを、更に判断するものとする。そして、解析部７３０は、受信パケットの内容がレイアウト情報である場合、そのレイアウト情報を抽出するものとする。そして、解析部７３０は、レイアウト情報を抽出するごとに、レイアウト情報管理部７７０ｃの保持内容を、その抽出したレイアウト情報で更新するものとする。
【０１３４】
図１１は、データ処理装置７００の動作の一例を示すフローチャートであり、実施の形態２の図４に対応するものである。図４と同一部分には、同一ステップ番号を付し、これについての説明を省略する。
【０１３５】
本実施の形態において、解析部７３０は、受信パケットの内容が最終パケット通知ではない場合（Ｓ１０８０：ＮＯ）、ステップＳ１１４０ｃへ進む。
【０１３６】
ステップＳ１１４０ｃにおいて、解析部７３０は、受信パケットの内容が、レイアウト情報であるか否かを判断する。解析部７３０は、受信パケットの内容がレイアウト情報ではない場合（Ｓ１１４０ｃ：ＮＯ）、ステップＳ１０２０へ進む。また、解析部７３０は、受信パケットの内容がレイアウト情報である場合（Ｓ１１４０ｃ：ＹＥＳ）、ステップＳ１１５０ｃへ進む。
【０１３７】
ステップＳ１１５０ｃにおいて、レイアウト情報管理部７７０ｃは、保持するレイアウト情報を、新たに受信したレイアウト情報で更新する。この結果、生成される合成映像データの合成映像レイアウトは、テレビ３１０から指定された合成映像レイアウトとなる。
【０１３８】
図１２は、本実施の形態に係る通信システム全体の動作の一例を示すシーケンス図であり、実施の形態２の図５に対応するものである。なお、ドアホン２１０、テレビ３１０、およびデータ処理装置７００ｃ以外の装置については、図示および説明を省略する。
【０１３９】
テレビ３１０は、レイアウト変更ボタンが押下されていずれかの合成映像レイアウトが選択されると（Ｓ２０４１ｃ）、当該合成映像レイアウトを示すレイアウト情報を、データ処理装置７００ｃへ送信する（Ｓ２０４２ｃ）。
【０１４０】
データ処理装置７００ｃは、受信したレイアウト情報が示す内容に従って、合成映像レイアウトを変更する（Ｓ２０４３ｃ）。この結果、以降のステップＳ２１３０において送信が開始される合成映像データの合成映像レイアウトは、テレビ３１０で選択された内容となる。
【０１４１】
このように、本実施の形態に係るデータ処理装置７００ｃは、合成映像データに用いるレイアウト情報を変更することができるので、合成映像データの合成映像レイアウトを変更することができる。また、データ処理装置７００ｃは、テレビ３１０からレイアウト情報を受信し、受信したレイアウト情報を採用するので、テレビ３１０のユーザが望む合成映像レイアウトを実現することができる。
【０１４２】
なお、以上説明した各実施の形態において、第１の映像入力側装置、映像出力側装置、および第２の映像入力側装置に相当する各装置は、ドアホン、セットトップボックス、テレビ、およびハードディスクとしたが、これに限定されない。第１の映像入力側装置に相当する装置は、センサカメラ、監視カメラ、ネットワーク対応テレビ、およびモバイルルータなどとすることができる。
【０１４３】
また、データ処理装置のネットワークとの接続形態（ネットワークの種類およびデータ送受信のための設備など）は、上述の各実施の形態で説明した例に限定されない。例えば、データ処理装置は、有線ＬＡＮおよびルータによりネットワークに接続してもよい。例えば、データ処理装置は、携帯電話回線と無線ＬＡＮなど、複数の通信機能を持つルータ機能を有する機器にも応用することができる。
【０１４４】
また、データ処理装置の第２の映像入力側装置との接続形態は、上述の各実施の形態で説明した例に限定されない。例えば、データ処理装置は、携帯電話網などのネットワークを介して、第２の映像入力側装置に接続してもよい。
【産業上の利用可能性】
【０１４５】
本発明に係るデータ処理装置およびデータ処理方法は、ネットワーク全体で映像データの画質が低下するのを防ぎつつ、ネットワークの輻輳を防ぐことができるデータ処理装置およびデータ処理方法として有用である。
【符号の説明】
【０１４６】
１００  通信システム
２００  第１の映像入力側装置
２１０  ドアホン
２２０  セットトップボックス
３００  映像出力側装置
３１０  テレビ
４００  他の装置
５００  ネットワーク
５１０  ホームネットワーク
５２０  アクセスポイント
６００  第２の映像入力側装置
６１０  ハードディスク
７００、７００ｃ  データ処理装置
７１０  第１のインタフェース部
７２０  第２のインタフェース部
７３０  解析部
７４０  出力機器制御部
７５０  データ合成部
７６０  パケット生成部
７７０ｃ  レイアウト情報管理部
【図１】
2013005155.tif 000003
【図２】
2013005155.tif 000004
【図３】
2013005155.tif 000005
【図４】
2013005155.tif 000006
【図５】
2013005155.tif 000007
【図６】
2013005155.tif 000008
【図７】
2013005155.tif 000009
【図８】
2013005155.tif 000010
【図９】
2013005155.tif 000011
【図１０】
2013005155.tif 000012
【図１１】
2013005155.tif 000013
【図１２】
2013005155.tif 000014